(57)【要約】【課題】  幅木を取り付ける場合に、幅木の重量を一対の横材に預けることができて、幅木を一対の横材間に簡単に取り付けることができる幅木を提供する。【解決手段】  踏み板５を架設する建枠１の一対の横材３間に渡る長さの幅木本体９と、この幅木本体９の長手方向両端を横材３に取り付ける一対の装着手段１０とを備えており、前記各装着手段１０は横材３に係脱自在に係合して幅木本体９の長手方向外方及び上方への移動を規制する係合部材２６を有する幅木８であって、前記幅木本体９は長手方向端部に、建枠１内外方向に離間していてその間に係合部材２６を配置した端部内外壁１６，１７を有し、この端部内外壁１６，１７の下部に、横材３に嵌合して幅木本体９の長手方向外方及び下方への移動を規制する載置嵌合部２４を設けている。【選択図】図１
2014040734.tif 000002
【特許請求の範囲】
【請求項１】
踏み板（５）を架設する建枠（１）の一対の横材（３）間に渡る長さの幅木本体（９）と、この幅木本体（９）の長手方向両端を横材（３）に取り付ける一対の装着手段（１０）とを備えており、前記各装着手段（１０）は横材（３）に係脱自在に係合して幅木本体（９）の長手方向外方及び上方への移動を規制する係合部材（２６）を有する幅木であって、
前記幅木本体（９）は長手方向端部に、建枠（１）内外方向に離間していてその間に係合部材（２６）を配置した端部内外壁（１６，１７）を有し、この端部内外壁（１６，１７）の下部に、横材（３）に嵌合して幅木本体（９）の長手方向外方及び下方への移動を規制する載置嵌合部（２４）を設けていることを特徴とする幅木。
【請求項２】
前記幅木本体（９）は長手方向端部に、端部内外壁（１６，１７）とそれらを繋ぐ奥壁（１８）とを有して長手方向外方に開放された断面コ字状部材（１９）を有し、この断面コ字状部材（１９）の下端に前記載置嵌合部（２４）を形成していることを特徴とする請求項１に記載の幅木。
【請求項３】
前記装着手段（１０）の一方は、前記係合部材（２６）が幅木本体（９）の長手方向端部に固定され、他方は、幅木本体（９）の長手方向端部に横軸（３４）を介して揺動自在に支持されかつ揺動して横材（３）に係脱自在に係合する係合部（３１）を有する前記係合部材（２６）と、この係合部材（２６）を揺動した状態でロックするロック部材（２７）とを有することを特徴とする請求項１又は２に記載の幅木。
【請求項４】
前記両方の装着手段（１０）は、幅木本体（９）の長手方向端部に横軸（３４）を介して揺動自在に支持されかつ揺動して横材（３）に係脱自在に係合する係合部（３１）を有する前記係合部材（２６）と、この係合部材（２６）を揺動した状態でロックするロック部材（２７）とを有することを特徴とする請求項１又は２に記載の幅木。
【請求項５】
前記揺動自在に支持された係合部材（２６）は横軸（３４）に嵌合する軸受部（３５）に第１翼（２９）と第２翼（３０）とを突出し、第１翼（２９）に前記係合部（３１）を形成し、第２翼（３０）にロック部材（２７）と当接する当接部（３２）を形成しており、
前記ロック部材（２７）は支持軸（３９）を介して揺動自在に支持され、その先端に揺動して係合部材（２６）の当接部（３２）と面接触して互いに突っ張り状態になるロック部（４２）を形成していることを特徴とする請求項３又は４に記載の幅木。
【請求項６】
前記係合部材（２６）の当接部（３２）には、ロック部材（２７）のロック部（４２）が当接して揺動力を受ける受け面（４７）と、揺動したときに横軸（３４）と支持軸（３９）とを通る中心線（Ｌ）に対して略直交してロック部（４２）と面接する被ロック面（４８）とを形成していることを特徴とする請求項５に記載の幅木。
【発明の詳細な説明】
【技術分野】
【０００１】
本発明は、踏み板を架設する一対の横材間に取り付けられる幅木に関するものである。
【背景技術】
【０００２】
幅木には、踏み板を架設する建枠の一対の横材間に渡る長さの幅木本体と、この幅木本体の長手方向両端を横材に取り付ける一対の装着手段とを備えており、前記各装着手段は横材に係脱自在に係合して幅木本体の長手方向外方及び上方への移動を規制する係合部材を有するものがある。
この種の従来の幅木は、幅木本体の一端部に、下端に係止板を有する第１係止部材を下方突出状に固定して設け、幅木本体の他端部に、下端に係止板を有する第２係止部材を横軸廻りに揺動自在に支持し、第２係止部材をその係止板が幅木長手方向の外方に移動するように横軸廻りに付勢する付勢手段を設け、第１係止部材の係止板を一方の横材に長手方向の内側から外方に向けて係合させると共に、第２係止部材の係止板を他方の横部材に長手方向の内側から外方に向けて係合させることによって、幅木を踏み板の外側縁部に起立状態に取り付けるようにしたものがある（例えば引用文献１）。
【先行技術文献】
【特許文献】
【０００３】
【特許文献１】特開２０１１−１８４９３８号公報
【発明の概要】
【発明が解決しようとする課題】
【０００４】
しかし、従来では、幅木を一対の横材間に取り付ける場合、幅木の重量を横材等に預けることができないため、幅木の重量を支えながら、第１係止部材の係止板を一方の横材に上下左右に位置合わせしながら係止板を一方の横材に係合させる必要があり、しかも、その後、第２係止部材の係止板を上下左右に位置合わせしながら他方の横材に長手方向の内側から係合させる必要があり、幅木の一対の横材への取り付けが非常に面倒であった。
【０００５】
本発明は上記問題点に鑑み、幅木を取り付ける場合に、幅木を一対の横材に立ち姿勢で預けることができ、預けた状態で装着手段を操作して幅木を一対の横材間に簡単に取り付けることができる幅木を提供することを目的としている。
【課題を解決するための手段】
【０００６】
本発明における課題解決のための具体的手段は、次の通りである。
この技術的課題を解決する本発明の技術的手段は、踏み板５を架設する建枠１の一対の横材３間に渡る長さの幅木本体９と、この幅木本体９の長手方向両端を横材３に取り付ける一対の装着手段１０とを備えており、前記各装着手段１０は横材３に係脱自在に係合して幅木本体９の長手方向外方及び上方への移動を規制する係合部材２６を有する幅木であって、
前記幅木本体９は長手方向端部に、建枠１内外方向に離間していてその間に係合部材２６を配置した端部内外壁１６，１７を有し、この端部内外壁１６，１７の下部に、横材３に嵌合して幅木本体９の長手方向外方及び下方への移動を規制する載置嵌合部２４を設けている点にある。
【０００７】
また、本発明の他の技術的手段は、前記幅木本体９は長手方向端部に、端部内外壁１６，１７とそれらを繋ぐ奥壁１８とを有して長手方向外方に開放された断面コ字状部材１９を有し、この断面コ字状部材１９の下端に前記載置嵌合部２４を形成している点にある。
また、本発明の他の技術的手段は、前記装着手段１０の一方は、前記係合部材２６が幅木本体９の長手方向端部に固定され、他方は、幅木本体９の長手方向端部に横軸３４を介して揺動自在に支持されかつ揺動して横材３に係脱自在に係合する係合部３１を有する前記係合部材２６と、この係合部材２６を揺動した状態でロックするロック部材２７とを有する点にある。
【０００８】
また、本発明の他の技術的手段は、前記両方の装着手段１０は、幅木本体９の長手方向端部に横軸３４を介して揺動自在に支持されかつ揺動して横材３に係脱自在に係合する係合部３１を有する前記係合部材２６と、この係合部材２６を揺動した状態でロックするロック部材２７とを有する点にある。
また、本発明の他の技術的手段は、前記揺動自在に支持された係合部材２６は横軸３４に嵌合する軸受部３５に第１翼２９と第２翼３０とを突出し、第１翼２９に前記係合部３１を形成し、第２翼３０にロック部材２７と当接する当接部３２を形成しており、
前記ロック部材２７は支持軸３９を介して揺動自在に支持され、その先端に揺動して係合部材２６の当接部３２と面接触して互いに突っ張り状態になるロック部４２を形成している点にある。
【０００９】
また、本発明の他の技術的手段は、前記係合部材２６の当接部３２には、ロック部材２７のロック部４２が当接して揺動力を受ける受け面４７と、揺動したときに横軸３４と支持軸３９とを通る中心線Ｌに対して略直交してロック部４２と面接する被ロック面４８とを形成している点にある。
【発明の効果】
【００１０】
本発明によれば、幅木を取り付ける場合に、端部内外壁の下部に設けた載置嵌合部を、一対の横材に嵌合することによって、幅木を一対の横材に対して位置決めすることができると共に、幅木を一対の横材に立ち姿勢で預けることができ、このため、その後に、装着手段の係合部材を横材に簡単に係合して、幅木を一対の横材間に簡単かつ確実に取り付けることができる。
【図面の簡単な説明】
【００１１】
【図１】本発明の第１実施形態を示す幅木の正面図である。
【図２】同幅木の平面図である。
【図３】同幅木の側面図である。
【図４】同幅木の長手方向一端部の拡大平面図である。
【図５】同第４図のＡ−Ａ線断面図である。
【図６】同幅木の長手方向一端部の斜視図である。
【図７】同幅木を一対の横材に取り付ける手順を示す正面図である。
【図８】同一対の横材に取り付けた踏み板及び幅木を示す斜視図である。
【図９】本発明の第２実施形態を示す幅木の正面図である。
【図１０】同幅木の平面図である。
【図１１】同幅木の側面図である。
【図１２】同幅木の長手方向一端部の正面断面図である。
【図１３】同幅木を一対の横材に取り付ける手順を示す正面図である。
【発明を実施するための形態】
【００１２】
以下、本発明の実施の形態を図面に基づいて説明する。
図１〜図８は本発明の第１実施形態を示している。図８において、建枠１の一対の横材３間に足場の踏み板５が架設されている。踏み板５の長手方向両端部にそれぞれ一対の係合体６が突設されており、これら係合体６を建枠１の一対の横材３に上側から係合させることにより、一対の横材３間に踏み板５が水平状に配置固定されている。
【００１３】
建枠１の一対の横材３間に、踏み板５の外側縁部に沿って幅木８が立設され、幅木８で踏み板５上の建築資材等が落下するのを防止している。
図１〜図８において、幅木８は、一対の横材３間に渡る長さの幅木本体９と、この幅木本体９の長手方向両端を横材３に取り付ける一対の装着手段１０とを備えている。
幅木本体９は一対の横材３の離間方向に細長くて所定の上下幅を有する長方形の板部材１３を有すると共に、板部材１３の長手方向両端部に設けた一対の支持板１４を有している。また、幅木本体９は長手方向端部に、建枠１の内外方向に離間した端部内壁１６と端部外壁１７とを有すると共に、端部内壁１６と端部外壁１７とを繋ぐ奥壁１８とを有しており、端部内壁１６と端部外壁１７と奥壁１８とで長手方向外方に開放された断面コ字状部材１９が形成されている。板部材１３の長手方向両端に断面コ字状部材１９が奥壁１８を介して溶接等により固着されている。
【００１４】
板部材１３はその上端部に建枠１内外方向の内方に突出した後に下方に屈曲した上折曲縁部２１を有すると共に、下端部に建枠１内外方向の内方に突出した後に上方に向けて屈曲した下折曲縁部２２を有している。
一対の支持板１４は、板部材１３の建枠１内外方向の内方に上下方向に配置され、その上下両端部が板部材１３の上折曲縁部２１と下折曲縁部２２とに連結固定されている。
【００１５】
断面コ字状部材１９の端部内壁１６と端部外壁１７との下部に、載置嵌合部２４が設けられている。載置嵌合部２４は端部内壁１６と端部外壁１７との下部における幅木本体長手方向の外方側を円弧状に切り欠いてなり、横材３に嵌合して幅木本体９の長手方向外方及び下方への移動を規制する。載置嵌合部２４が横材３に嵌合することによって、幅木本体９がその下部を支点に建枠１内外方向に揺動しないように横材３に対して端部内壁１６側と端部外壁１７側の２点で安定に嵌合保持できるように構成されている。
【００１６】
前記各装着手段１０は、横材３に係脱自在に係合する係合部材２６と、係合部材２６を横材３に係合した状態にロックするロック部材２７とを有する。
係合部材２６は横軸３４に回動自在に嵌合する円筒状の軸受部３５に第１翼２９と第２翼３０とが突出され、第１翼２９に円弧状に湾曲しかつ建枠１の内外方向に一定の幅を有する係合部３１が形成され、第２翼３０にロック部材２７と当接する当接部３２がＬ字状に屈曲形成されている。
【００１７】
横軸３４は載置嵌合部２４の上方に配置され、断面コ字状部材１９の端部内壁１６と端部外壁１７との間に架設されている。係合部材２６は断面コ字状部材１９の端部内壁１６と端部外壁１７との間に配置されて、幅木本体９の長手方向端部に横軸３４を介して揺動自在に支持され、揺動して係合部３１が横材３に係脱自在に係合し、係合部３１が横材３に係合することにより、幅木本体９の長手方向外方及び上方への移動を規制するようになっている。
【００１８】
前記係合部材２６の第２翼３０の当接部３２側は奥壁１８に設けた開口孔３７から板部材１３の建枠１内外方向の内側に突出されている。
ロック部材２７は支持軸３９を介して揺動自在に支持されている。支持軸３９は、横軸３４の幅木長手方向の内方側に配置され、幅木本体９の板部材１３と支持板１４と間に架設されている。支持軸３９に円筒状の軸受部４０が回動自在に嵌合され、ロック部材２７は軸受部４０からＬ字状に突設され、幅木本体９の断面コ字状部材１９よりも長手方向の内方側に配置されている。ロック部材２７の先端に下方に屈曲したロック部４２が形成されている。
【００１９】
また、ロック部材２７には幅木本体９の側面から建枠１内外方向に突出した摘み部４４が設けられている。摘み部４４は幅木本体９の支持板１４よりも長手方向外方に配置され、支持板１４よりも建枠１内外方向の内方に突出しており、摘み部４４を摘んでロック部材２７を揺動操作できるようになっている。
前記係合部材２６の当接部３２は下方に屈曲した後に幅木長手方向の内方側に屈曲することにより上述の如くＬ字状に屈曲しており、当接部３２には、ロック部材２７のロック部４２が当接して揺動力を受ける受け面４７と、揺動したときに横軸３４と支持軸３９とを通る中心線Ｌに対して略直交してロック部４２と面接する被ロック面４８とが形成されている。
【００２０】
而して、係合部材２６及びロック部材２７が、図５に２点鎖線で示す如く互いに山形状に屈曲傾斜して、係合部材２６の係合部３１が横材３から外れた状態から、ロック部材２７を支持軸３９廻りに図５に示す矢印ａ方向に揺動させると、ロック部材２７のロック部４２が係合部材２６の当接部３２（受け面４７）に当接して下方に押圧し、これに伴い、係合部材２６が横軸３４廻りに図５に示す矢印ｃ方向に揺動してその係合部３１が横材３に係合し、このとき、ロック部材２７のロック部４２が係合部材２６の当接部３２（被ロック面４８）と面接触し、これによりロック部材２７と係合部材２６とが互いに突っ張り状態になり、ロック部材２７で係合部材２６を横材３に係合した状態にロックするように構成されている。
【００２１】
上記第１実施形態によれば、幅木８を一対の横材３間に取り付ける場合、図１及び図５に２点鎖線で示す如く、ロック部材２７を支持軸３９廻りに図５に示す矢印ｂ方向に揺動してロックを解除すると共に、係合部材２６を横軸３４廻りに図５に示す矢印ｄ方向に揺動して、ロック部材２７と係合部材２６とを山形状に屈曲傾斜させておき、この状態で、図７（ａ）に示すように幅木８を一対の横材３よりもやや高く持ち上げた後に、幅木８を降ろして、図７（ｂ）に示すように幅木本体９の長手方向両端部の載置嵌合部２４をそれぞれ一対の横材３に嵌合する。これによって、幅木８を一対の横材３に対して位置決めすることができると共に、幅木８の重量を一対の横材３に預けることができる。
【００２２】
その後、ロック部材２７の摘み部４４を摘んでロック部材２７を下方に押圧して、ロック部材２７を図５に示す矢印ａ方向に揺動操作すればよく、ロック部材２７のロック部４２が当接部３２の受け面４７に当接して、ロック部材２７の矢印ａ方向への揺動に伴って、当接部３２を下方に押圧し、その結果、係合部材２６を図５に示す矢印ｃ方向に揺動させ、図７（Ｃ）に示すように係合部材２６の係合部３１が横材３に幅木本体９の長手方向の内側から係脱自在に係合する。
【００２３】
このとき、ロック部材２７のロック部４２が係合部材２６の被ロック面４８と面接触して、ロック部材２７と係合部材２６とが突っ張り状態になり、ロック部材２７によって係合部材２６が横材３に係合した状態にロックされる。
従って、幅木８を一対の横材３に取り付ける場合に、端部内壁１６及び端部外壁１７の下部に設けた載置嵌合部２４を、一対の横材３に嵌合することによって、幅木８を一対の横材３に対して位置決めすることができると共に、幅木８を一対の横材３に立ち姿勢で預けることができるため、その後に、一対の装着手段１０の係合部材２６をそれぞれ横材３に簡単に係合させて、幅木８を一対の横材３間に簡単かつ確実に取り付けることができる。また、装着手段１０の係合部材２６をそれぞれ横材３に係合した後も、端部内壁１６及び端部外壁１７の下部に設けた載置嵌合部２４は一対の横材３に嵌合したままになっており、幅木８を一対の横材３間に確実かつ安定に取り付けておくことができる。
【００２４】
しかも、断面コ字状部材１９の端部内壁１６と端部外壁１７との下部に載置嵌合部２４が設けられ、係合部材２６は断面コ字状部材１９の端部内壁１６と端部外壁１７との間に配置されているので、載置嵌合部２４が横材３に嵌合されると共に、係合部材２６が建枠１の内外方向に一定の幅を有する係合部３１で横材３に係合されることによって、幅木本体９がその下部を支点に建枠１内外方向に揺動しないように横材３に対して端部内壁１６側と端部外壁１７側の２点で安定に嵌合保持できるし、係合部３１の建枠１内外方向の幅によっても建枠１内外方向にガタ付かないように保持することができ、幅木８を一対の横材３に建枠１の内外方向に倒れないように安定かつ強固に固定することができる。
【００２５】
また、幅木本体９の長手方向両端を横材３に取り付ける一対の装着手段１０は、横材３に係脱自在に係合する係合部材２６と、係合部材２６を横材３に係合した状態にロックするロック部材２７とを有する簡単な構成であって、幅木本体９の長手方向両端部の下部側にコンパクトに配置することができ、構成が簡単で構成部材が少なくて済み、幅木８全体を安価でかつ安上がりに製造することができる。
【００２６】
なお、幅木８を一対の横材３間から取り外す場合には、ロック部材２７の摘み部４４を摘んでロック部材２７を上方に引っ張り上げて、ロック部材２７を矢印ｂ方向に揺動操作すればよく、ロック部材２７の矢印ｂ方向への揺動に伴って、ロック部４２が当接部３２に接触して上方に引っ張り上げ、その結果、係合部材２６を矢印ｄ方向に揺動させ、係合部材２６の係合部３１が横材３から幅木本体９の長手方向の内側に離間し、係合部材２６の横材３への係合が外れる。従って、その後は、幅木８を一対の横材３よりもやや高く持ち上げて、幅木本体９の長手方向両端部の載置嵌合部２４をそれぞれ一対の横材３から外せばよい。
【００２７】
図９〜図１３は本発明の第２実施形態を示している。図９〜図１３において、前記装着手段１０の一方（図例では左側の装着手段１０）は、係合部３１を有する係合部材２６が幅木本体９の長手方向端部に固定されている。
即ち、横軸３４に嵌合する軸受部３５は、建枠１の内外方向に離間した一対の軸受片５１と軸受片５１を連結する連結片５２とをコの字状に有し、一対の軸受片５１が取付孔を介して横軸３４に嵌合されると共に、端部内壁１６の内面又は端部外壁１７の内面に沿うように配置されて、軸受部３５が断面コ字状部材１９に内嵌されている。
【００２８】
また、係合部材２６に断面コ字状部材１９の奥壁１８に接当する接当片５４が突設され、これにより、係合部材２６が断面コ字状部材１９に対して動かないように固定されている。
前記装着手段１０の他方（図例では右側の装着手段１０）は、前記第１実施形態の場合と同様に、幅木本体９の長手方向端部に横軸３４を介して揺動自在に支持されかつ揺動して横材３に係脱自在に係合する係合部３１を有する係合部材２６と、この係合部材２６を揺動した状態でロックするロック部材２７とを有している。
【００２９】
他方の装着手段１０の横軸３４に嵌合する軸受部３５は、左側の装着手段１０の場合と同様に、前後一対の軸受片５１と軸受片５１を連結する連結片５２とをコの字状に有し、一対の軸受片５１が取付孔を介して横軸３４に嵌合されると共に、端部内壁１６の内面又は端部外壁１７の内面に沿うように配置されて、軸受部３５が断面コ字状部材１９に内嵌されている。
【００３０】
また、ロック部材２７は、上壁部５７と上壁部５７の建枠１内外方向の両端から下方に突出した一対の側壁部５８とを有するコの字状に形成され、ロック部材２７の幅木本体９長手方向の中央部が支持軸３９を介して揺動自在に支持されている。支持軸に３９に一対の側壁部５８が取付孔を介して回動自在に嵌合され、ロック部材２７の幅木本体９長手方向の外端部がロック部４２とされている。
【００３１】
前記第１実施形態の場合と同様に、係合部材２６の当接部３２には、ロック部材２７のロック部４２が当接して揺動力を受ける受け面４７と、揺動したときに横軸３４と支持軸３９とを通る中心線Ｌに対して略直交してロック部４２と面接する被ロック面４８とが形成されている。
而して、右側の装着手段１０では、係合部材２６及びロック部材２７が、図１２に２点鎖線で示す如く互いに山形状に屈曲傾斜して、係合部材２６の係合部３１が横材３から外れた状態から、ロック部材２７を支持軸３９廻りに図１２に示す矢印ａ方向に揺動させると、ロック部材２７のロック部４２が係合部材２６の当接部３２（受け面４７）に当接して下方に押圧し、これに伴い、係合部材２６が横軸３４廻りに図１２に示す矢印ｃ方向に揺動してその係合部３１が横材３に係合し、このとき、ロック部材２７のロック部４２が係合部材２６の当接部３２（被ロック面４８）と面接触し、これによりロック部材２７と係合部材２６とが互いに突っ張り状態になり、ロック部材２７で係合部材２６を横材３に係合した状態にロックするように構成されている。
【００３２】
上記第２実施形態によれば、幅木８を一対の横材３間に取り付ける場合、図１２に２点鎖線で示す如く、ロック部材２７を支持軸３９廻りに図１２に示す矢印ｂ方向に揺動してロックを解除すると共に、右側の係合部材２６を横軸３４廻りに図１２に示す矢印ｄ方向に揺動して、ロック部材２７と係合部材２６とを山形状に屈曲傾斜させておき、この状態で、幅木８を一対の横材３よりもやや高く持ち上げた後に、図１３（ａ）に示すように、幅木８の左側を降ろして、幅木本体９の左側の載置嵌合部２４を横材３に嵌合する。これによって、幅木８を横材３に対して長手方向に位置決めすることができると共に、幅木８の重量の左側を横材３に預けることができる。
【００３３】
次に、幅木８の右側を降ろして、図１３（ｂ）に示すように幅木本体９の右側の載置嵌合部２４を横材３に嵌合する。これによって、幅木８を一対の横材３に対して位置決めすることができると共に、幅木８の重量を一対の横材３に預けることができる。
その後、ロック部材２７の右側を下方に押して、ロック部材２７を図１２に示す矢印ａ方向に揺動操作すればよく、ロック部材２７のロック部４２が当接部３２の受け面４７に当接して、ロック部材２７の矢印ａ方向への揺動に伴って、当接部３２を下方に押圧し、その結果、係合部材２６を図１２に示す矢印ｃ方向に揺動させ、図１３（Ｃ）に示すように右側の係合部材２６の係合部３１が横材３に幅木本体９の長手方向の内側から係脱自在に係合する。
【００３４】
このとき、ロック部材２７のロック部４２が係合部材２６の被ロック面４８と面接触して、ロック部材２７と係合部材２６とが突っ張り状態になり、ロック部材２７によって係合部材２６が横材３に係合した状態にロックされる。
従って、前記第１実施形態の場合と同様に、幅木８を一対の横材３に建枠１の内外方向に倒れないように安定かつ強固に固定することができる。
【００３５】
また、幅木本体９の長手方向両端を横材３に取り付ける一対の装着手段１０は、横材３に係脱自在に係合する係合部材２６を有する簡単な構成であって、幅木本体９の長手方向両端部の下部側にコンパクトに配置することができ、構成が簡単で構成部材が少なくて済み、幅木８全体を安価でかつ安上がりに製造することができる。
なお、幅木８を一対の横材３間から取り外す場合には、図１３（Ｃ）に２点鎖線で示す如くロック部材２７の左側を下方に押圧して、ロック部材２７を矢印ｂ方向に揺動操作すればよく、ロック部材２７の矢印ｂ方向への揺動に伴って、ロック部４２が当接部３２に接触して上方に引っ張り上げ、その結果、右側の係合部材２６を矢印ｄ方向に揺動させ、係合部材２６の係合部３１が横材３から幅木本体９の長手方向の内側に離間し、係合部材２６の横材３への係合が外れる。従って、その後は、幅木８の右側を横材３よりもやや高く持ち上げて、幅木本体９の長手方向右端部の載置嵌合部２４を横材３から外せばよい。
【００３６】
なお、前記実施形態では、幅木本体９の長手方向両端を横材３に取り付ける一対の又は一方の装着手段１０は、横材３に係脱自在に係合して幅木本体９の長手方向外方及び上方への移動を規制する係合部材２６を有する他に、係合部材２６を揺動した状態でロックするロック部材２７を有しているが、ロック部材２７に代えて、係合部材２６を揺動した状態に固定するボルトナット等の締結具を設けてもよい。
【符号の説明】
【００３７】
１      建枠
３      横材
５      踏み板
６      係合体
８      幅木
９      幅木本体
１０    装着手段
１６    端部内壁
１７    端部外壁
１８    奥壁
１９    断面コ字状部材
２４    載置嵌合部
２６    係合部材
２７    ロック部材
２９    第１翼
３０    第２翼
３２    当接部
３４    横軸
３５    軸受部
３９    支持軸
４２    ロック部
４７    受け面
４８    被ロック面
Ｌ      中心線
【図１】
2014040734.tif 000003
【図２】
2014040734.tif 000004
【図３】
2014040734.tif 000005
【図４】
2014040734.tif 000006
【図５】
2014040734.tif 000007
【図６】
2014040734.tif 000008
【図７】
2014040734.tif 000009
【図８】
2014040734.tif 000010
【図９】
2014040734.tif 000011
【図１０】
2014040734.tif 000012
【図１１】
2014040734.tif 000013
【図１２】
2014040734.tif 000014
【図１３】
2014040734.tif 000015